(57)【要約】【課題】玄関の下足収納部の収納量を増加させることのできる玄関の天井部構造を提供する。【解決手段】玄関（１）の天井部（２）は、玄関天井（１２）と、天井裏空間（１３）と、開閉部材（３２）とを備える。玄関天井（１２）は、玄関空間（１１）の上方に位置し、かつ、上下方向に貫通する開口（３１）を有する。天井裏空間（１３）内の開口（３１）の周辺部には、分電盤（５１）および通信用配線設備（５０）の少なくとも一方が設置される。開閉部材（３２）は、開口（３１）を開閉可能に設けられ、水平方向に延在する下面を有する。開閉部材（３２）は、開口（３１）を閉鎖した通常状態において、下面が玄関天井（１２）の天井面よりも高い位置に位置することによって折り上げ天井を構成する。【選択図】図１
2017172150.tif 000002
【特許請求の範囲】
【請求項１】
住宅の玄関における天井部の構造であって、
玄関空間の上方に位置し、かつ、上下方向に貫通する開口を有する玄関天井と、
前記玄関天井の裏側に位置し、かつ、前記開口の周辺部に、分電盤および通信用配線設備の少なくとも一方が設置される天井裏空間と、
前記開口を開閉可能に設けられ、水平方向に延在する下面を有する開閉部材とを備え、
前記開閉部材は、前記開口を閉鎖した通常状態において、前記下面が前記玄関天井の天井面よりも高い位置に位置することによって折り上げ天井を構成する、玄関の天井部構造。
【請求項２】
前記天井裏空間に配置され、前記開閉部材をスライド移動可能に保持するための保持部材をさらに備える、請求項１に記載の玄関の天井部構造。
【請求項３】
前記開閉部材の下面の色および素材の少なくとも一方が、前記玄関天井の天井面と同じである、請求項１または２に記載の玄関の天井部構造。
【請求項４】
前記玄関空間は、下足収納部が配置された土間部を含み、
前記開口は、前記土間部の上方位置であって、平面視において前記下足収納部と重ならない位置に配置されている、請求項１〜３のいずれかに記載の玄関の天井部構造。
【請求項５】
前記玄関天井の前記開口側端部から前記開閉部材の下面付近まで上方に立ち上がる立上り部をさらに備え、
前記玄関天井は、前記立上り部よりも前記開口側へ突出する突出部を有しており、
前記玄関天井の前記突出部の上に、前記玄関空間を間接的に照らすための照明具が取付けられている、請求項１〜４のいずれかに記載の玄関の天井部構造。
【請求項６】
下足収納部が配置された玄関空間と、
前記玄関空間の上方に位置し、かつ、上下方向に貫通する開口を有する玄関天井と、
前記玄関天井の裏側に位置し、かつ、前記開口の周辺部に、分電盤および通信用配線設備の少なくとも一方が設置される天井裏空間と、
前記開口を開閉可能に設けられ、水平方向に延在する下面を有する開閉部材とを備え、
前記開閉部材は、前記開口を閉鎖した通常状態において、前記下面が前記玄関天井の天井面よりも高い位置に位置することによって折り上げ天井を構成する、住宅の玄関構造。
【発明の詳細な説明】
【技術分野】
【０００１】
本発明は、玄関の天井部構造に関し、特に、下足収納部が設けられた玄関の天井部の構造に関する。
【背景技術】
【０００２】
従来から、天井の一部分を開閉可能に構成することで、天井裏空間に設置された配管等の点検を可能とした住宅が多く存在する。
【０００３】
たとえば特開２００２−３２２８０２号公報（特許文献１）には、玄関の天井面の少なくとも一部分に折り上げ格天井が形成され、この折り上げ格天井の少なくとも一区画を取り外し可能とすることで天井点検口を形成した天井点検口構造が開示されている。
【先行技術文献】
【特許文献】
【０００４】
【特許文献１】特開２００２−３２２８０２号公報
【発明の概要】
【発明が解決しようとする課題】
【０００５】
今般、分電盤および通信用配線設備は、玄関の下足収納部にまとめて設けることを標準とした集合住宅が存在する。しかし、この場合、下足収納部の収納量が減少してしまうという問題がある。
【０００６】
特許文献１には、玄関の天井に点検口を形成することが開示されているが、特許文献１において点検対象の設備は、排気管など、天井裏空間に設置されることが一般的な天井内設備である。そのため、特許文献１の天井点検構造を有する住宅では、分電盤および通信用配線設備の設置スペースが別途必要である。したがって、特許文献１の住宅においても、下足収納部の収納量の減少という問題が生じ得る。
【０００７】
本発明は、上記のような課題を解決するためになされたものであって、その目的は、下足収納部の収納量を増加させることのできる玄関の天井部構造を提供することである。
【課題を解決するための手段】
【０００８】
この発明のある局面に従う玄関の天井部構造は、住宅の玄関における天井部の構造であって、玄関天井と、天井裏空間と、開閉部材とを備える。玄関天井は、玄関空間の上方に位置し、かつ、上下方向に貫通する開口を有する。天井裏空間は、玄関天井の裏側に位置する。天井裏空間内の開口の周辺部には、分電盤および通信用配線設備の少なくとも一方が設置される。開閉部材は、開口を開閉可能に設けられ、水平方向に延在する下面を有する。開閉部材は、開口を閉鎖した通常状態において、下面が玄関天井の天井面よりも高い位置に位置することによって折り上げ天井を構成する。
【０００９】
好ましくは、玄関の天井部構造は、天井裏空間に配置され、開閉部材をスライド移動可能に保持するための保持部材をさらに備える。
【００１０】
好ましくは、開閉部材の下面の色および素材の少なくとも一方が、玄関天井の天井面と同じである。
【００１１】
玄関空間は、下足収納部が配置された土間部を含む。開口は、土間部の上方位置であって、平面視において下足収納部と重ならない位置に配置されていることが望ましい。
【００１２】
好ましくは、玄関の天井部構造は、玄関天井の開口側端部から開閉部材の下面付近まで上方に立ち上がる立上り部をさらに備える。玄関天井は、立上り部よりも開口側へ突出する突出部を有しており、玄関天井の突出部の上に、玄関空間を間接的に照らすための照明具が取付けられていることが望ましい。
【００１３】
住宅の玄関部構造は、下足収納部が配置された玄関空間と、玄関天井と、天井裏空間と、開閉部材とを備える。玄関天井は、玄関空間の上方に位置し、かつ、上下方向に貫通する開口を有する。天井裏空間は、玄関天井の裏側に位置する。天井裏空間内の開口の周辺部には、分電盤および通信用配線設備の少なくとも一方が設置される。開閉部材は、開口を開閉可能に設けられ、水平方向に延在する下面を有する。開閉部材は、開口を閉鎖した通常状態において、下面が玄関天井の天井面よりも高い位置に位置することによって折り上げ天井を構成する。
【発明の効果】
【００１４】
本発明によれば、玄関の下足収納部に、分電盤または通信用配線設備を設置する必要がないため、下足収納部の収納量を増加させることができる。
【図面の簡単な説明】
【００１５】
【図１】本発明の実施の形態における住宅の玄関構造を模式的に示す断面図である。
【図２】図１の矢印ＩＩ方向から見た玄関の天井部構造を模式的に示す見上げ図である。
【図３】本発明の実施の形態における玄関の天井部構造を拡大して示す模式断面図である。
【図４】（Ａ）は比較例における下足収納部の収納量を概念的に示す図であり、（Ｂ）は本発明の実施の形態における下足収納部の収納量を概念的に示す図である。
【図５】本発明の実施の形態の変形例における玄関の天井部構造を示す模式断面図である。
【発明を実施するための形態】
【００１６】
本発明の実施の形態について図面を参照しながら詳細に説明する。なお、図中同一または相当部分には同一符号を付してその説明は繰返さない。
【００１７】
（玄関構造の概要について）
はじめに、図１〜図３を参照して、本実施の形態における集合住宅の玄関構造の概要について説明する。集合住宅には、各階に１以上の住戸が設けられている。
【００１８】
集合住宅の各住戸における玄関１は、玄関天井（以下「天井」と略す）１２と、天井１２を境として配置された玄関空間１１と天井裏空間１３とを含む。玄関空間１１は、住戸内への出入りの際に通過する空間であり、玄関扉１０に隣接する土間部２１と、土間部２１の奥に位置する玄関ホール部２２とを含む。玄関ホール部２２は、土間部２１との間に仕切りなく配置されている。
【００１９】
土間部２１の一対の側壁部のうちの一方には、下足収納部２３が配置されている。下足収納部２３は、たとえば埋め込み型の収納部であり、下足収納部２３の扉の表面と土間部２１または玄関ホール部２２の側壁面とが略面一となっている。
【００２０】
特に分譲マンションなどの集合住宅において、玄関１の天井１２の高さは、玄関１より奥に位置する住空間の天井高さに比べて低く設定されることがある。図２に示されるように、玄関１の天井裏空間１３には、玄関１前の共用廊下３側にまで延びる排気ダクト１５が設けられているからである。
【００２１】
ところで、今般の集合住宅においては、図４（Ａ）に示されるように、玄関の下足収納部１２３内に、分電盤５１、および、ＬＡＮ（local area network）パネルやルータ等の通信用配線設備５０を収納することがある。この場合、分電盤５１の点検や修理、あるいは、通信用配線設備５０の接続作業の際に、作業者が住空間に立ち入ることなく、玄関１の土間部２１において作業を行うことができるため、居住者のプライバシーを保護できるメリットがある。
【００２２】
しかしながら、集合住宅の下足収納部１２３の容量は限られている。そのため、下足収納部１２３内にこのような設備を設置すると、本来収納したい靴の収納量が減ってしまう。そうすると、玄関１の土間部２１に収納し切れない靴が散乱し、玄関１の美観を損ねてしまう可能性がある。
【００２３】
そこで、本実施の形態では、玄関１の天井裏空間１３における空きスペース（典型的には、排気ダクト１５の横のスペース）に、分電盤５１および通信用配線設備５０をまとめて配置することとした。以下に、本実施の形態における玄関１の天井部２の構造について詳細に説明する。天井部２は、天井１２と天井裏空間１３とを含む部分である。
【００２４】
（玄関の天井部構造について）
図１および図３を参照して、玄関空間１１の上方に位置する天井１２は、上下方向に貫通する開口３１を有している。以下の説明では、理解を容易にするために、天井１２のうち、開口３１を除く所定高さの天井部分を「基準天井３０」と表現する。
【００２５】
開口３１は、土間部２１の上部に位置している。平面視において開口３１は土間部２１の領域内に完全に収まっていることが望ましい。平面視における開口３１の形状は、たとえば矩形状であり、開口３１の各辺の寸法は、たとえば６００ｍｍ程度である。
【００２６】
天井部２には、開口３１を開閉可能な開閉部材３２が設けられている。開閉部材３２は、典型的には板状であり、その下面３２ａが、基準天井３０の天井面３０ａ（以下「基準天井面３０ａ」という）と平行である。つまり、開閉部材３２は、水平方向に延在する下面３２ａを有している。開閉部材３２の下面３２ａの高さは、基準天井面３０ａよりも６０ｍｍ以上高く、望ましくは１００ｍｍ程度高い。そのため、開口３１を閉鎖した「通常状態」において、開閉部材３２は、天井１２（基準天井３０）よりも高い天井、すなわち折り上げ天井を構成する。
【００２７】
基準天井３０の開口３１側の端部には、開閉部材３２の下面３２ａ付近まで上方に立ち上がる立上り部３３が設けられている。具体的には、立上り部３３の上端部と開閉部材３２の下面３２ａとが当接または近接している。立上り部３３は、開口３１を取り囲むように配置されていることが望ましい。本実施の形態では、基準天井３０と立上り部３３とがＬ字状に交差（直交）している。
【００２８】
基準天井面３０ａおよび立上り部３３の表面（開口３１側を向く側面）は、共通の壁面シートなどによって一体的に形成されている。つまり、立上り部３３の表面の色および素材は、基準天井面３０ａと同じである。開閉部材３２の下面３２ａの色および素材も、基準天井面３０ａおよび立上り部３３の表面と同じであることが望ましい。このように構成されることで、開閉部材３２が通常状態である場合に、開閉部材３２を、通常の（開閉できない）折り上げ天井のように見せることができる。なお、開閉部材３２の下面３２ａの色および素材の少なくとも一方が、基準天井面３０ａと同じであればよい。
【００２９】
天井裏空間１３のうち、開口３１の周辺部に、分電盤５１と、通信用配線設備５０としてのＬＡＮパネル５２、ルータ５３、およびＯＮＵ（光回線終端装置）５４とが設置される。これらは、排気ダクト１５に接触しない位置に配置される。
【００３０】
具体的には、比較的大きい分電盤５１およびＬＡＮパネル５２は、天井裏空間１３の上部に位置する躯体部１４に、取付け部材５５を介して下向きに取付けられる。分電盤５１およびＬＡＮパネル５２は、平面視において、少なくとも一部が開口３１に重なる位置に取り付けられる。比較的小さいルータ５３およびＯＮＵ５４は、開口３１近くにある基準天井３０の上部に載置される。このように、分電盤５１および通信用配線設備５０が開口３１の周辺部に配置されるため、開口３１を介したこれら設備の作業を容易に行うことができる。
【００３１】
本実施の形態では、天井裏空間１３に、開閉部材３２をスライド移動可能に保持する保持部材４１が設けられている。つまり、開閉部材３２の水平方向の移動により、開口３１の開閉が可能である。この場合、開閉部材３２を押し上げたり、取り外したりする必要がないため、開口３１の開閉を容易に行うことができる。なお、ルータ５３およびＯＮＵ５４は、開閉部材３２のスライド方向とは反対側の基準天井３０の上部に載置される。
【００３２】
開閉部材３２は、たとえば、玄関１の手前から奥へ向かってスライド移動可能となっている。この場合、開閉部材３２の下面３２ａの玄関扉１０側に、たとえば回転引手４２が設けられる。
【００３３】
この場合、保持部材４１の一部が、玄関ホール部２２の上方に位置していてもよい。つまり、保持部材４１は、平面視において、土間部２１と玄関ホール部２２とに跨って配置されていてもよい。これにより、天井裏空間１３の空きスペースをより有効に活用することができる。
【００３４】
本実施の形態のように、分電盤５１および通信用配線設備５０を天井裏空間１３に設置することで、図４（Ｂ）に示されるように、下足収納部２３の収納量を増やすことができる。一例として、図４（Ａ）に示す比較例の下足収納部１２３では３４足しか収納できなかったのに対し、本実施の形態の下足収納部２３では、比較例よりも棚板を増やすことで、約２３％収納量が向上している（４２足収納可能）。
【００３５】
また、未利用であった天井裏空間１３の空きスペースを利用するため、他の収納空間や住空間への影響がない。また、分電盤５１および通信用配線設備５０がまとめて配置されるため、配線工事が容易となる。
【００３６】
また、開口３１が土間部２１の上方に位置しているため、本実施の形態においても、インターネット接続業者などの作業者が、玄関ホール部２２またはその先の住空間に立ち入ることなく、土間部２１において作業を完結することができる。
【００３７】
また、上述のように、開閉部材３２が玄関１の手前から奥へ向かってスライド移動させられる構成の場合、通常状態において、玄関扉１０から土間部２１に入る際に、回転引手４２の存在が目立たず、開閉部材３２が開閉可能となっていることが推測され難い。よって、天井１２の美観を維持することができる。それどころか、開閉可能な開閉部材３２が折り上げ天井として形成されているため、玄関空間１１のインテリア性の向上にも寄与する。
【００３８】
（変形例）
図５は、本実施の形態の変形例に係る天井部２Ａの構造を示す模式断面図である。図５では、開閉部材３２のスライド移動により開口３１が開放された状態が示されている。
【００３９】
この変形例では、立上り部３３が、基準天井３０の開口３１側端縁よりも少し退いた位置に配置されている。つまり、基準天井３０（天井１２）は、立上り部３３よりも開口３１側（内側）へ突出する突出部３４を有している。
【００４０】
図５に示されるように、この突出部３４の上に、玄関空間１１を間接的に照らすための照明具４３が取付けられている。照明具４３による照射方向は、真下ではなく、上方または内側方向である。照明具４３は、通常状態において、折り上げ天井（開閉部材３２）の周囲に設けられた間接照明として機能する。
【００４１】
このように、開口３１の周囲に間接照明としての照明具４３を設置することで、通常状態において、玄関空間１１のインテリア性をより十分に向上させることができる。また、上述のような回転引手４２が開閉部材３２に設けられる場合であっても、回転引手４２が照明具４３の照射光に紛れるため、その存在を目立たなくさせることができる。
【００４２】
さらに、分電盤５１および通信用配線設備５０の作業の際に、開閉部材３２が開放されて開口３１が開状態となった場合には、照明具４３は、天井裏空間１３内を照らす作業灯として機能する。したがって、作業者は、懐中電灯等を用いなくても、容易に設備の作業を行うことができる。
【００４３】
なお、本実施の形態および変形例では、開閉部材３２はスライド移動可能に取付けられていることとしたが、限定的ではなく、たとえば上下方向に回転可能に取付けられていてもよい。
【００４４】
また、本実施の形態および変形例では、天井裏空間１３に、分電盤５１および通信用配線設備５０の双方が設置されることとしたが、一方だけが設置されてもよい。
【００４５】
また、本実施の形態および変形例では、下足収納部２３が埋め込み型の収納部であることとしたが、限定的ではない。その場合であっても、開口３１は、土間部２１の上方位置であって、平面視において下足収納部２３と重ならない位置に配置されていることが望ましい。
【００４６】
また、本実施の形態および変形例においては、集合住宅を例に説明したが、戸建住宅に適用してもよい。
【００４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４８】
１  玄関、２，２Ａ  天井部、３  共用廊下、１０  玄関扉、１１  玄関空間、１２  天井部、１３  天井裏空間、１４  躯体部、１５  排気ダクト、２１  土間部、２２  玄関ホール部、２３，１２３  下足収納部、３０  基準天井、３１  開口、３２  開閉部材、３３  立上り部、３４  突出部、４１  保持部材、４２  回転引手、４３  照明具、５０  通信用配線設備、５１  分電盤、５２  ＬＡＮパネル、５３  ルータ、５５  取付け部材。
【図１】
2017172150.tif 000003
【図２】
2017172150.tif 000004
【図３】
2017172150.tif 000005
【図４】
2017172150.tif 000006
【図５】
2017172150.tif 000007